(57)【要約】【課題】フラット発光時に適正露出のストロボ撮影を可能にする。【解決手段】閃光発光とフラット発光のいずれかにて発光するストロボ手段を用いてのストロボ撮影が可能な撮像装置において、撮影感度を変更する感度変更手段を有し、前記感度変更手段が、前記フラット発光によるストロボ撮影時には、前記撮影感度を自動調整する（ステップ１０１〜１０３）撮像装置とする。【選択図】図４
2007096879.tif 000002
【特許請求の範囲】
【請求項１】
閃光発光とフラット発光のいずれかにて発光するストロボ手段を用いてのストロボ撮影が可能な撮像装置において、
撮影感度を変更する感度変更手段を有し、
前記感度変更手段は、前記フラット発光によるストロボ撮影時には、前記撮影感度を自動調整することを特徴とする撮像装置。
【請求項２】
前記感度変更手段は、前記フラット発光によるストロボ撮影時には、ガイドナンバーが前記閃光発光によるストロボ撮影時と同等になるように、前記撮影感度を自動的に上げることを特徴とする請求項1に記載の撮像装置。
【請求項３】
閃光発光とフラット発光のいずれかにて発光するストロボ手段を用いてのストロボ撮影が可能であり、かつ、任意に設定された絞り値により適正露出が得られるシャッタ秒時を算出する絞り優先自動露出モードを有する撮像装置において、
撮影感度を変更する感度変更手段を有し、
前記感度変更手段は、前記絞り優先自動露出モードでのフラット発光によるストロボ撮影時には、前記算出されたシャッタ秒時に応じて、前記撮影感度を自動調整することを特徴とする撮像装置。
【請求項４】
閃光発光とフラット発光のいずれかにて発光するストロボ手段を用いてのストロボ撮影が可能であり、かつ、任意のシャッタ秒時と絞り値を選択可能とするマニュアル露出モードを有する撮像装置において、
撮影感度を変更する感度変更手段を有し、
前記感度変更手段は、前記マニュアル露出モードでのフラット発光によるストロボ撮影時には、前記任意に設定されるシャッタ秒時に応じて、前記撮影感度を自動調整することを特徴とする撮像装置。
【請求項５】
前記感度変更手段は、前記シャッタ秒時によりガイドナンバーが変化しないように、前記撮影感度を自動調整することを特徴とする請求項３または４に記載の撮像装置。
【発明の詳細な説明】
【技術分野】
【０００１】
本発明は、閃光発光とフラット発光のいずれかにて発光するストロボ手段を用いてのストロボ撮影を可能にする撮像装置に関するものである。
【背景技術】
【０００２】
従来、シャッタスピードが遅くなることにより手ブレを抑えるためにＩＳＯ感度を自動調整するものや、ストロボ到達距離を稼ぐために被写体距離に応じてＩＳＯ感度を自動調整する（特許文献１）などの技術が提案されている。
【特許文献１】昭和６４−６１１７５号公報
【発明の開示】
【発明が解決しようとする課題】
【０００３】
フラット発光は閃光発光に比べ、ガイドナンバーが落ちる。同調秒時より長いシャッタ秒時における閃光発光ではガイドナンバーがシャッタ秒時により変更されることはない。しかし、フラット発光においては、シャッタ秒時によりスリット幅が異なるので、ガイドナンバーが異なる。製品によっては、取り扱い説明書にシャッタ秒時に応じたガイドナンバーの対応表を用意しているものもある。
【０００４】
以上のことより、従来では、撮影条件（同調秒時及びそれより長いシャッタ秒時では閃光発光、同調秒時より速いシャッタ秒時ではフラット発光）によりガイドナンバーが異なることで、同調秒時近辺でストロボ光が届いたり、届かなかったりすることの切りムラが発生していた。
【０００５】
また、マニュアル発光を用いる場合などは、シャッタ秒時によりガイドナンバーが異なると適正露光を得るための距離や絞り値を算出するのにいちいち取り扱い説明書の対応表を参照しなくてはならなく、適正露出を得るのに使用者に手間をかけるものであった。
【０００６】
（発明の目的）
本発明の目的は、フラット発光時に適正露出のストロボ撮影を行うことのできる撮像装置を提供しようとするものである。
【課題を解決するための手段】
【０００７】
上記目的を達成するために、本発明は、閃光発光とフラット発光のいずれかにて発光するストロボ手段を用いてのストロボ撮影が可能な撮像装置において、撮影感度を変更する感度変更手段を有し、前記感度変更手段が、前記フラット発光によるストロボ撮影時には、前記撮影感度を自動調整する撮像装置とするものである。
【０００８】
同じく上記目的を達成するために、本発明は、閃光発光とフラット発光のいずれかにて発光するストロボ手段を用いてのストロボ撮影が可能であり、かつ、任意に設定された絞り値により適正露出が得られるシャッタ秒時を算出する絞り優先自動露出モードを有する撮像装置において、撮影感度を変更する感度変更手段を有し、前記感度変更手段が、前記絞り優先自動露出モードでのフラット発光によるストロボ撮影時には、前記算出されたシャッタ秒時に応じて、前記撮影感度を自動調整する撮像装置とするものである。
【０００９】
同じく上記目的を達成するために、本発明は、閃光発光とフラット発光のいずれかにて発光するストロボ手段を用いてのストロボ撮影が可能であり、かつ、任意のシャッタ秒時と絞り値を選択可能とするマニュアル露出モードを有する撮像装置において、撮影感度を変更する感度変更手段を有し、前記感度変更手段が、前記マニュアル露出モードでのフラット発光によるストロボ撮影時には、前記任意に設定されるシャッタ秒時に応じて、前記撮影感度を自動調整する撮像装置とするものである。
【発明の効果】
【００１０】
本発明によれば、フラット発光時に適正露出のストロボ撮影を行うことができる撮像装置を提供できるものである。
【発明を実施するための最良の形態】
【００１１】
本発明を実施するための最良の形態は、以下の実施例１および２に記載の通りである。
【実施例１】
【００１２】
図１は本発明の実施例１に係わる電子スチルカメラの回路構成を示すブロック図である。図１において、１は交換可能なレンズであり、ズームレンズの場合もある。このレンズ１の内部には、例えばステッピングモータおよびＡＦ（オートフォーカス）レンズ駆動部を有している。そして、マイクロコンピュータ１６との通信によりフォーカスレンズの位置を変化させる制御が行われ、ピント合わせが行われる。フォーカス演算に用いるデフォーカス量は、後述のＡＦセンサ２４の出力を用いて演算する。また、レンズ１内には絞り駆動部があり、マイクロコンピュータ１６の制御によって光学的な絞り値が変化させられる。上記マイクロコンピュータ１６はレンズ１と通信することで、該レンズ１より現在のズーム位置（焦点距離情報）、現在の距離環位置（被写体距離）の情報を収得することが可能である。
【００１３】
２はクイックリターンミラーであり、露光の際にマイクロコンピュータ１６の指示で不図示のアクチュエータによりアップダウンする。このクイックリターンミラー２はＡＦ光学系に光を導くためにハーフミラーで構成されていて、サブミラーもこれに連動する。３はフォーカッシングスクリーンであり、撮影者はペンタプリズム４とファインダ光学系を通して該フォーカシングスクリーン３を観察することで、レンズ１を通して得た像のピントや構図の確認が可能となる。
【００１４】
５はフォーカルプレーンシャッタであり、マイクロコンピュータ１６の制御で後述のＣＣＤ６の露光時間を自由に制御できる。フォーカルプレーンシャッタ５は一般的には先幕、後幕から構成され、２枚の幕の間隔で自由な露光時間が制御される。６は撮像素子であるところのＣＣＤであり、レンズ１によってＣＣＤ６上に結像された画像を光電変換して電気信号として取り出す。７はクランプ／ＣＤＳ回路、８はＡＧＣ回路であり、これらはＣＣＤ６からのアナログ信号をＡ／Ｄ変換する前の基本的アナログ処理を行う。マイクロコンピュータ１６により、クランプレベルやＡＧＣ基準レベルの変更も可能である。
【００１５】
９はＡ／Ｄ変換部であり、ＡＧＣ回路８からのアナログ信号をデジタル信号に変換する。この際、設定されているＩＳＯ感度に応じた変換を行う。１０は映像信号処理回路であり、デジタル化された画像データに、フィルター処理、色変換処理、ガンマー／ニー処理を行い、メモリコントローラ１３に出力する。他方、この映像信号処理回路１０はＤ／Ａ変換部を内蔵しており、ＣＣＤ６から入力される映像信号や、メモリコントローラ１３から逆に入力される画像データをアナログ信号に変換し、液晶駆動回路１１を通して液晶表示部１２に出力することも可能である。これらの機能切り換えはマイクロコンピュータ１６とのデータ交換により行われ、ホワイトバランス情報をマイクロコンピュータ１６に出力可能である。その情報を基にマイクロコンピュータ１６はホワイトバランス調整を行う。また、映像信号処理回路１０は、ごみ検知用の画像を作成する処理機能と、作成された画像同士を比較する機能を有する。
【００１６】
また、映像信号処理回路１０は、マイクロコンピュータ１６の指示により、何もせずにメモリコントローラ１３を通してバッファメモリ１９に画像データを保存することも可能である。また、映像信号処理回路１０は、ＪＰＥＧなどの圧縮処理する機能も持っている。連写の場合は一旦、バッファメモリ１９に撮影データを格納し、処理時間がある場合にメモリコントローラ１３を通して未処理の画像データを読み出し、映像信号処理回路１０で画像処理や圧縮処理を行い、連写スピードを稼ぐ。連写枚数は、バッファメモリの大きさに大きく左右される。マイクロコンピュータ１６は、撮影前に設定されているＩＳＯ感度、画像サイズ、画質に応じた、画像サイズの予測値データをもとに、メモリコントローラ１３を通して、メモリの容量を確認して撮影可能残数を演算し、表示部材に表示する。
【００１７】
メモリコントローラ１３は、映像信号処理回路１０から入力された未処理のデジタル画像データをバッファメモリ１９に格納し、処理済みのデジタル画像をメモリ１４に格納する。また、逆にバッファメモリ１９やメモリ１４から画像データを映像信号処理回路部１０に出力する。また、外部インターフェイス１５から送られてくる映像をメモリ１４に記憶したり、メモリ１４に記憶されている画像を外部インターフェイス１５から出力したりする。メモリ１４は取り外し自由である場合もある。
【００１８】
ごみ検知に用いる画像と撮影情報は、バッファメモリ１９に格納する。または、取り外し可能なメモリ１４に格納するということも考えられる。
【００１９】
１７は電源であり、各ＩＣや駆動系に必要な電源を供給する。１８はスイッチ入力部であり、マイクロコンピュータ１６に各種の操作部材の状態を伝える。マイクロコンピュータ１６はスイッチ入力部１８の変化に応じて各部をコントロールする。２０は操作部材の一つであるレリーズ釦であり、スイッチ２０ａ（ＳＷ１）と２０ｂ（ＳＷ２）により構成される。スイッチＳＷ１のみオンの状態はレリーズ釦２０の半押し状態であり、スイッチＳＷ２も共にオンの場合はレリーズ釦２０の全押し状態であって撮影が行われる。スイッチ入力部１８には、レリーズ釦２０の他に、不図示の、ＩＳＯ設定釦、画像サイズ設定釦、画質設定釦、情報表示釦など接続されている。
【００２０】
２１は液晶駆動回路であり、マイクロコンピュータ１６の表示内容命令に従って外部液晶表示部２２やファインダ内液晶表示部２３を駆動する。また、ファインダ内液晶表示部２３には、不図示のＬＥＤなどのバックライトが配置されており、そのＬＥＤも液晶駆動回路２１で駆動される。なお、画像データを表示するための液晶表示部１２と表示内容命令を表示するための外部液晶表示部２２は、同一の液晶表示装置にて兼用しても構わない。
【００２１】
２４はＡＦセンサであり、マイクロコンピュータ１６にデフォーカス情報を出力する。すると、それに基づいてマイクロコンピュータ１６とレンズ１とで通信が行われ、内部のＡＦレンズ駆動回路を用いてピント合わせが行われる。２５はＡＥセンサであり、ファインダスクリーン上を測光し、レンズ１を通した被写体の輝度を測光する。
【００２２】
２６は外付けのストロボ装置であり、マイクロコンピュータ１６とストロボ装置２６内の後述するストロボマイコン２００とにより双方向通信が行われ、ストロボ制御が行われる。このストロボ装置２６は、シャッタ５の先幕が走行し、後幕が走行しない全開状態での閃光発光、先幕、後幕がスリット露光時のフラット発光、の切り換えが可能となっている。
【００２３】
次に、図２を用いて、ストロボ装置２６でのフラット発光動作の説明を行う。ストロボマイコン２００は、マイクロコンピュータ１６より通信で指示された所定発光レベルに応じて、端子ＤＡ０に所定のコンパレート電圧を設定する。次に、端子Ｙ１にＨｉ（ハイレベルを意味する）を、端子Ｙ０にＬｏ（ローレベルを意味する）を、それぞれ出力し、データセレクタ２３０の入力端子Ｄ２を選択する。このとき、Ｘｅ管３１は未だ発光していないので、第２の受光素子３５の光電流はほとんど流れず、コンパレータ２３１の反転入力端子に入力されるモニタ回路２３４の出力は発生せず、コンパレータ２３１の出力はＨｉであるので発光制御回路２１２は導通状態となる。
【００２４】
次に、ストロボマイコン２００は端子ＴＲＩＧよりトリガー信号を出力する。すると、トリガー回路２１１が高圧を発生したＸｅ管３１を励起し、フラット発光が開始される。また、ストロボマイコン２００は積分回路２３６に積分開始を指示する。この指示を受ける積分回路２３６は光量積分用の第１の受光素子３８の対数圧縮された光電出力の積分を開始する。また同時に、ストロボマイコン２００は発光時間をカウントする内蔵のタイマが起動する。
【００２５】
フラット発光が開始されると、フラット発光の発光レベル制御用の第２の受光素子３５からの光電流が多くなり、モニタ回路２３４の出力が上昇する。そして、コンパレータ２３１の非反転入力を設定されている所定のコンパレート電圧より高くなると、コンパレータ２３１の出力がＬｏに反転し、発光制御回路２１２がＸｅ管３１の発光電流を遮断する。これにより、放電ループが断たれるが、ダイオード２０９およびコイル２０６により環流ループが形成され、発光電流は回路の遅れによるオーバーシュートが収まった後、徐々に減少する。
【００２６】
発光電流の減少に伴って発光レベルが低下するので、第２の受光素子３５の光電流が減少し、モニタ回路２３４の出力も低下する。そして、所定のコンパレート電圧以下に低下すると、再びコンパレータ２３１の出力がＨｉに反転し、発光制御回路２１２が再度導通してＸｅ管３１の放電ループが形成され、発光電流が増加して発光レベルも増加する。
【００２７】
このように、端子ＤＡ０に設定された所定のコンパレート電圧を中心に、コンパレータ２３１が短い周期で発光レベルの増加減少を繰り返し、結果的には、所望するほぼ一定の発光レベルで発光を継続させるフラット発光制御が行われる。
【００２８】
前述したタイマのカウントにより、所定の発光時間が経過すると、ストロボマイコン２００は、端子Ｙ１，Ｙ０をＬｏ，Ｌｏに設定する。これにより、データセレクタ２３０の入力端子Ｄ０、すなわちＬｏ入力が選択され、その出力は強制的にＬｏとなり、発光制御回路２１２はＸｅ管３１の放電ループを遮断する。これによりフラット発光は終了する。
【００２９】
上記タイマのカウント値は、フォーカルプレーン式のシャッタ５のシャッタ秒時により決定する。先幕、後幕のスリットでＣＣＤ６に対する露光量をコントロールする場合は、スリット幅が大きい秒時ほどカウント値は大きく設定される。また、同調秒時以上の時は、フラットシャッタ幕にストロボ光がけられないので、フラット発光である必要はなく、一般的な閃光発光を行う。閃光発光動作では、モニタ回路２３４の出力とコンパレート電圧の比較は行われず、発光制御回路２１２は１回の発光につき１度だけ導通する。
【００３０】
先幕、後幕のスリットでＣＣＤ６に対する露光量をコントロールする場合に、上記説明したフラット発光を行う場合は、ストロボ装置２６の発光した光がすべてＣＣＤ６に届かないことにより無駄な光が多くなるので、閃光発光よりフラット発光はガイドナンバーが小さくなる。また、フラット発光は一定の強さで発光しているので、シャッタ秒時に応じたスリット幅が異なる理由で、シャッタ秒時によりガイドナンバーが異なる。
【００３１】
次に、図３のフローチャートを用いて、本実施例１に係わる電子スチルカメラの動作について説明する。
【００３２】
ステップ３００から動作を開始し、まずステップ３０１では、電源ＯＦＦ用のタイマがタイムアウトしたかどうかの判定を行う。タイムアウトした場合は電源ＯＦＦの処理のためにステップ３２０に進み、タイムアウトしていない場合はステップ３０２に進む。
【００３３】
タイムアウトしていないとしてステップ３０２へ進むと、ここでは各種の設定指示を行うスイッチ入力部１８からの信号によりカメラのモードなどの各種の設定を行う。撮影モード等の設定もここで行う。ここで、マイクロコンピュータ１６はストロボ装置２６と通信し、このストロボ装置２６の設定状態や充電完了状態の情報を判定する。そして、次のステップ３０３にて、測光センサ２５を用いて被写体の輝度を測定し、適正露出を得るためのシャッタ秒時や絞り値を演算する。ここでは上記ステップ３０２にて得られたストロボ装置２６の情報も加味し、ストロボ撮影を行うか、ストロボ撮影を行う場合はシャッタ秒時により閃光発光を行うか、もしくは、フラット発光を行うかの判定も行う。
【００３４】
次のステップ３０４では、ＡＦセンサ２４を用いて被写体のデフォーカスを検知する。続くステップ３０５では、上記ステップ３０２にて設定した状態や各種の設定状態を外部液晶表示部２２やファインダ内液晶表示部２３（以下、これら表示部を表示部材とも記す）などに表示する。また、上記ステップ３０２にて設定された、ＩＳＯ感度、画像サイズ、画質に応じた画像サイズの予測値データを基に、メモリコントローラ１３を通してメモリの容量を確認し、撮影可能残数を演算して表示部材に表示する。また、上記ステップ３０２で検出されたピントの状態や上記ステップ３０３で演算されたシャッタ秒時、絞り値や、ストロボ装置２６の充電完了状態なども表示部材に表示する。
【００３５】
次のステップ３０６では、レリーズ釦２０が半押し状態かどうかの判定を行い、半押しのスイッチＳＷ１のみがオンの状態時にはタイマ更新のためにステップ３０７に進む。一方、半押しされていない、つまりスイッチＳＷ１がオンしていない状態であればステップ３０１に戻り、以下同様の動作を繰り返す。
【００３６】
スイッチＳＷ１がオンしているとしてステップ３０６からステップ３０７に進むと、ここでは、電源ＯＦＦ用のタイマの更新を行う。そして、次のステップ３０８にて、レリーズが可能状態であり、かつ、レリーズ釦２０が完全に押された（スイッチＳＷ１とスイッチＳＷ２の両方がオン）になったかどうかの判定を行う。レリーズ釦２０が完全に押された状態の場合は画像を撮影するためにステップ３０９に進み、そうでない場合はステップ３０１に戻る。
【００３７】
ステップ３０９へ進むと、ここではクイックリターンミラー２を制御してミラーアップ状態にするとともに、レンズ１と通信し、上記ステップ３０３で演算された絞り値にレンズ１の絞りを制御する。次のステップ３１０では、上記ステップ３０３にて演算されたシャッタ時間によりシャッタ５を制御し、ＣＣＤ６からの画像をクランプＣＤＳ７、ＡＧＣ回路８およびＡ／Ｄ変換部９を介して取り込む。この際、ストロボ撮影の場合は、シャッタ制御のタイミングに合わせてストロボの発光制御も行う。
【００３８】
次のステップ３１１では、クイックリターンミラー２を制御し、ミラーダウンを行うとともにレンズ１と通信を行い、レンズ１の絞りを開放状態に制御する。次のステップ３１２では、ＡＧＣ回路８に設定されたＩＳＯ値に対するゲイン値を送る。この際、撮影がストロボ撮影の場合は、後述の図４のフローチャートを実行することにより設定されるゲイン値をＡＧＣ回路８に送る。そして、感度調整し、メモリコントロール１３に画像信号を送り、バッファメモリ１９に画像を一時保管する。
【００３９】
次のステップ３１３では、映像信号処理回路１０の出力であるホワイトバランス情報を基に、適正な色になるように、映像信号処理回路１０で用いるＲとＢのゲインを演算により決定して制御する。続くステップ３１４では、バッファメモリ１９に格納された未処理の画像を映像信号処理回路１０の負荷が画像処理できるレベルであるときに処理し、圧縮して、メモリ１４に格納する動作を開始する。連写等の場合は、バッファメモリ１９に画像がどんどん格納されるが、画像処理は停止した状態になることもある。
【００４０】
次のステップ３１５では、撮影可能枚数（記録枚数）の算出を行う。そして、次のステップ３１６にて、上記ステップ３１４にて処理された画像信号を液晶駆動回路１１に送り、液晶表示部１２に表示する。また、上記ステップ３０３，３０４，３１５にて決定した撮影情報を液晶駆動回路２１に送り、外部液晶表示部２２に表示する。次のステップ３１７では、同様に上記撮影情報をファインダ内液晶表示部２３に表示する。
【００４１】
ステップ３１８では、メモリ１４に記憶可能な領域が存在するかどうかと未処理のバッファメモリ１９上の画像も考慮して、撮影可能であるかどうかの判定を行う。その結果、撮影可能である場合はステップ３０１に戻る。一方、撮影可能でない場合はステップ３１９に進み、上記ステップ３１８にて撮影不可能状態であると判定されたことの情報を表示する。そして、次のステップ３０１に戻る。
【００４２】
上記ステップ３０１にて電源ＯＦＦ用のタイマがタイムアウトしたと判定した場合はステップ３２０に進む。そして、ステップＳ３２０にて、液晶駆動回路１１により液晶表示部１２での画像表示を消灯し、液晶表示のバックライトも消灯する。次のステップ３２１では、上記ステップ３１４で開始した画像処理と圧縮とメモリ格納のすべてを終了し、バッファメモリ１９に撮影画像領域が空になるのを待つ。そして、次のステップ３２２にて、電源回路１７に指示を出し、必要無い電源は落とし、ステップ３２３で一連の処理を終了する。
【００４３】
次に、上記ステップ３０３内にて実行される処理の一部の動作について、図４のフローチャートを用いて詳細に説明する。
【００４４】
ステップ１００より動作を開始し、まずステップ１０１では、ストロボ撮影を行うかどうかの判定を行う。ストロボ撮影を行う場合はステップ１０２に進む。ストロボ撮影でない場合はステップ１０４に進んでこの処理を終了する。
【００４５】
ステップ１０２では、ストロボ撮影が、閃光発光であるか、フラット発光であるかの判定を行い、閃光発光の場合はステップ１０４に進んでこの処理を終了する。また、フラット（ＦＰ）発光の場合はステップ１０３に進み、閃光発光のガイドナンバーと同等のガイドナンバーが得られるようにＩＳＯ感度を自動的にアップする。この感度アップ量は上記ステップ３１２でＡＧＣ回路８に送られることになる。
【００４６】
上記実施例１によれば、フラット発光によるストロボ撮影の場合は、閃光発光時のガイドナンバーと同等のガイドナンバーが得られるようにＩＳＯ感度を自動的にアップするようにしている。換言すると、ＩＳＯ感度を自動的に調整することにより閃光発光時とフラット発光時のガイドナンバーを揃えるようにしている。よって、従来のように、同調秒時及びそれより長いシャッタ秒時では閃光発光、同調秒時より速いシャッタ秒時ではフラット発光によりガイドナンバーが異なることによる、同調秒時近辺でストロボ光が届いたり、届かなかったりして切りムラが発生する、といったことがなくなり、失敗写真を減らすことが可能になる。
【実施例２】
【００４７】
次に、図５のフローチャートを用いて本発明の実施例２における主要部分の動作について説明する。このフローチャートは、上記図３のステップ３０３内での処理の一部である。なお、その他の動作は、図３と同様であるのでその説明は省略する。
【００４８】
図５は、使用者により任意に設定された絞り値を用いて適正露出が得られるシャッタ秒時を算出する絞り優先自動露出モードにおいて、フラット発光によるストロボ撮影が行われる場合の動作を示すフローチャートである。
【００４９】
ステップ５００より動作を開始し、まずステップ５０１では、撮影モードが絞り優先自動露出モードであり、かつ、フラット発光によるストロボ撮影時であるかどうかの判定を行う。その結果、絞り優先自動露出モードであり、かつ、フラット発光によるストロボ撮影時であればステップ５０２に進む。それ以外の場合はステップ５０３に進み、この処理を終了する。
【００５０】
ステップ５０２へ進むと、ここでは絞り優先自動露出モードにおいて算出されたシャッタ秒時によりガイドナンバーが異ならないように、該シャッタ秒時に応じたＩＳＯ感度とするための感度アップ量を自動的に算出する。そして、ステップ５０３にてこの処理を終了する。上記の感度アップ量は、図３のステップ３１２にてＡＧＣ回路８に送られることになる。
【００５１】
上記実施例２によれば、ＩＳＯ感度を自動的に調整することにより、シャッタ秒時によりガイドナンバーが異ならないようにしているので、従来のように、絞り優先自動露出モードにおいて、その時のシャッタ秒時により適正露光を得るための距離や絞り値を算出するのにいちいち取り扱い説明書の対応表を参照する、といった必要がなくなり、距離や絞り値の算出を簡単に行えるものとすることができる。つまり、使用者に手間をかけることなく、適正露出のストロボ撮影を行うことのできる電子スチルカメラとすることができる。
【実施例３】
【００５２】
次に、図６のフローチャートを用いて本発明の実施例３における主要部分の動作について説明する。このフローチャートは、上記図３のステップ３０３内での処理の一部である。なお、その他の動作は、図３と同様であるのでその説明は省略する。
【００５３】
図６は、任意のシャッタ秒時と絞り値が選択可能なマニュアル露出モードにおいて、フラット発光によるストロボ撮影時の主要部分の動作を示すフローチャートである。
【００５４】
ステップ６００より動作を開始し、まずステップ６０１では、撮影モードがマニュアル露出モードであり、かつ、フラット発光によるストロボ撮影時であるかどうかの判定を行う。その結果、マニュアル露出モードであり、かつ、ストロボ撮影時であればステップ６０２に進む。それ以外の場合はステップ６０３に進み、この処理を終了する。
【００５５】
ステップ６０２へ進むと、ここではマニュアル操作により使用者が設定したシャッタ秒時によってガイドナンバーが異ならないように、該シャッタ秒時に応じたＩＳＯ感度とするための感度アップ量を自動的に算出する。そして、ステップ６０３にてこの処理を終了する。上記の感度アップ量は、図３のステップ３１２にてＡＧＣ回路８に送られることになる。
【００５６】
上記実施例３によれば、ＩＳＯ感度を自動的に調整することにより、シャッタ秒時によりガイドナンバーが異ならないようにしているので、従来のように、マニュアル露出モードにおいて、シャッタ秒時により適正露光を得るための距離や絞り値を算出するのにいちいち取り扱い説明書の対応表を参照する、といった必要がなくなり、距離や絞り値の算出を簡単に行えるものとすることができる。つまり、使用者に手間をかけることなく、適正露出のストロボ撮影を行うことのできる電子スチルカメラとすることができる。
【図面の簡単な説明】
【００５７】
【図１】本発明の実施例１に係わる電子スチルカメラの回路構成を示すブロック図である。
【図２】図1のストロボ装置の内部構成を示すブロック図である。
【図３】本発明の実施例１に係わる一連の動作を示すフローチャートである。
【図４】図３のステップ３０３内での処理の一部を示すフローチャートである。
【図５】本発明の実施例２に係わる主要部分の動作を示すフローチャートである。
【図６】本発明の実施例３に係わる主要部分の動作を示すフローチャートである。
【符号の説明】
【００５８】
１    レンズ
５    フォーカルプレーン式のシャッタ
６    ＣＣＤ
１０  映像信号処理回路
１１  液晶駆動回路
１２  液晶表示部
１３  メモリコントロール
１４  メモリ
１６  マイクロコンピュータ
２１  液晶駆動回路
２２  外部液晶表示部
２３  ファインダ内液晶表示部
２４  ＡＦセンサ
２５  ＡＥセンサ
２６  ストロボ装置
【図１】
2007096879.tif 000003
【図２】
2007096879.tif 000004
【図３】
2007096879.tif 000005
【図４】
2007096879.tif 000006
【図５】
2007096879.tif 000007
【図６】
2007096879.tif 000008